(57)【要約】【課題】  汚れを落とす能力をより高めるとともに、凹凸によりかさ張る不具合を回避して保管性や携帯性を高める。【解決手段】  繊維状素材を編んで長方形状に形成した浴用ボディタオル１を構成するに際して、第一の繊維状素材Ｒ１を編んで長方形状に形成したボディタオル本体部２の一方の面２ｆの中間位置Ｘｍに、第二の繊維状素材Ｒ２を編んで短冊形状に形成するとともに、長手方向をボディタオル本体部２の幅方向に沿わせ、かつボディタオル本体部２の長手方向に所定間隔を空けて配した複数の補助タオル片部３…の幅方向中央位置を縫い付けて構成する。【選択図】  図１
2011142933.tif 000002
【特許請求の範囲】
【請求項１】
繊維状素材を編んで長方形状に形成した浴用ボディタオルにおいて、第一の繊維状素材を編んで長方形状に形成したボディタオル本体部の一方の面の中間位置に、第二の繊維状素材を編んで短冊形状に形成するとともに、長手方向を前記ボディタオル本体部の幅方向に沿わせ、かつ前記ボディタオル本体部の長手方向に所定間隔を空けて配した複数の補助タオル片部の幅方向中央位置を縫い付けてなることを特徴とする浴用ボディタオル。
【請求項２】
前記補助タオル片部は、長手方向の中央位置を分割してなることを特徴とする請求項１記載の浴用ボディタオル。
【請求項３】
前記補助タオル片部は、一枚のタオル片又は重ね合わせた複数枚のタオル片を用いることを特徴とする請求項１又は２記載の浴用ボディタオル。
【請求項４】
前記第一繊維状素材と前記第二繊維状素材の種類を同一又は異ならせるとともに、前記ボディタオル本体部と前記補助タオル片部の編み方を同一又は異ならせることを特徴とする請求項１〜３のいずれかに記載の浴用ボディタオル。
【請求項５】
前記ボディタオル本体部の一方の面及び他方の面における中間位置にそれぞれ前記補助タオル片部を縫い付けるとともに、一方の面の補助タオル片部と他方の面の補助タオル片部における前記第二繊維状素材の種類及び／又は編み方を異ならせることを特徴とする請求項１〜４のいずれかに記載の浴用ボディタオル。
【発明の詳細な説明】
【技術分野】
【０００１】
本発明は、お風呂に入る際に使用する繊維状素材を編んで長方形に形成した浴用ボディタオルに関する。
【背景技術】
【０００２】
一般に、お風呂に入る際に使用する浴用ボディタオルは知られているが、通常の浴用ボディタオルは、繊維状素材を編んで長方形に形成したものであるため、基本的な形態は、木綿等を用いたフェイスタオルと変わらない。一方、浴用ボディタオルは、フェイスタオルとは異なる用途及び目的で用いられるため、より付加価値を付した浴用ボディタオルも知られている。
【０００３】
従来、このような付加価値を付した浴用ボディタオルとしては、例えば、特許文献１及び２で知られており、特許文献１には、生地の中程に、数個所たぐり寄せ、ひだを設け、糸で縫い合わせて凹凸を設け、使って気持ちの良い浴用ボディタオルが開示され、また、特許文献２には、浴用タオル中央にギャザーを取り付けることにより、タオル自体に凹凸ができるようにし、この凹凸部分を利用して、背中全体など、手の届き難い所までもの体の汚れを容易に落とすことができるようにした浴用ボディタオルが開示されている。
【先行技術文献】
【特許文献】
【０００４】
【特許文献１】特開２００８−２７２３９１号公報
【特許文献２】登録実用新案第３０２０７５０号公報
【発明の概要】
【発明が解決しようとする課題】
【０００５】
しかし、上述した従来の浴用ボディタオルは、次のような問題点があった。
【０００６】
第一に、基本的には、タオル生地の表面に凹凸を付加する発想であり、それ以上の内容が付加されるものではない。したがって、汚れを落とす（垢擦り）能力を如何に高めるかについては何ら考慮されておらず、このような汚れを落とす能力の観点からは更なる改善の余地があった。
【０００７】
第二に、凹凸を有するボディタオルとして機能が固定されるため、凹凸を利用したくない場合、即ち、一般的なボディタオルとして使用したい場合などには対応ができず、使い勝手（利便性）に難がある。しかも、凹凸ゆえにかさ張ってしまうため、保管性や携帯性にも難がある。
【０００８】
本発明は、このような背景技術に存在する課題を解決した浴用ボディタオルの提供を目的とするものである。
【課題を解決するための手段】
【０００９】
本発明は、上述した課題を解決するため、繊維状素材を編んで長方形状に形成した浴用ボディタオル１を構成するに際して、第一の繊維状素材Ｒ１を編んで長方形状に形成したボディタオル本体部２の一方の面２ｆの中間位置Ｘｍに、第二の繊維状素材Ｒ２を編んで短冊形状に形成するとともに、長手方向をボディタオル本体部２の幅方向に沿わせ、かつボディタオル本体部２の長手方向に所定間隔を空けて配した複数の補助タオル片部３…の幅方向中央位置を縫い付けてなることを特徴とする。
【００１０】
この場合、発明の好適な態様により、補助タオル片部３は、長手方向の中央位置を分割することができる。また、補助タオル片部３は、一枚のタオル片３ｐ又は重ね合わせた複数枚のタオル片３ｐ…を用いることができる。さらに、第一繊維状素材Ｒ１と第二繊維状素材Ｒ２の種類を同一又は異ならせることができるとともに、ボディタオル本体部２と補助タオル片部３の編み方を同一又は異ならせることができる。他方、ボディタオル本体部２の一方の面２ｆ及び他方の面２ｓにおける中間位置にそれぞれ補助タオル片部３，３を縫い付けるとともに、一方の面２ｆの補助タオル片部３と他方の面２ｓの補助タオル片部３における第二繊維状素材Ｒ２の種類及び／又は編み方を異ならせることができる。
【発明の効果】
【００１１】
このような構成を有する本発明に係る浴用ボディタオル１によれば、次のような顕著な効果を奏する。
【００１２】
（１）  ボディタオル本体部２の一方の面２ｆの中間位置Ｘｍに、第二の繊維状素材Ｒ２を編んで短冊形状に形成するとともに、長手方向をボディタオル本体部２の幅方向に沿わせ、かつボディタオル本体部２の長手方向に所定間隔を空けて配した複数の補助タオル片部３…の幅方向中央位置を縫い付けたため、補助タオル片部３…を、例えば、垢擦りに適した構成とすることにより、浴用ボディタオル１における汚れを落とす（垢擦り）能力をより高めることができる。
【００１３】
（２）  第二の繊維状素材Ｒ２を編んで短冊形状に形成した補助タオル片部３…の幅方向中央位置を、ボディタオル本体部２の片面２ｆの中間位置Ｘｍに縫い付けてなるため、使用時には補助タオル片部３の一部が折り返されることにより凸状となるが、非使用時には平坦に重ねることができるため、凹凸によりかさ張る不具合を回避でき、優れた保管性や携帯性を確保できる。
【００１４】
（３）  好適な態様により、補助タオル片部３の長手方向の中央位置を分割すれば、補助タオル片部３を使用する態様と使用しない態様に容易に変更できるため、例えば、二つの用途に使い分けが可能となり、使い勝手（利便性）をより高めることができる。
【００１５】
（４）  好適な態様により、補助タオル片部３に、重ね合わせた複数枚のタオル片３ｐ…を用いたり、或いは第一繊維状素材Ｒ１と第二繊維状素材Ｒ２の種類を異ならせるとともに、ボディタオル本体部２と補助タオル片部３の編み方を異ならせれば、汚れを落とす能力や使い心地等観点から補助タオル片部３の最適化を図ることができ、しかも、浴用ボディタオル１の多様化を図ることができる。
【００１６】
（５）  好適な態様により、ボディタオル本体部２の一方の面２ｆ及び他方の面２ｓにおける中間位置にそれぞれ補助タオル片部３，３を縫い付けるとともに、一方の面２ｆの補助タオル片部３と他方の面２ｓの補助タオル片部３における第二繊維状素材Ｒ２の種類及び／又は編み方を異ならせれば、補助タオル片部３を利用する観点から二種類の異なる浴用ボディタオル１…として機能させることができる。
【図面の簡単な説明】
【００１７】
【図１】本発明の好適実施形態に係る浴用ボディタオルの斜視図、
【図２】同浴用ボディタオルの図１中Ａ−Ａ断面図、
【図３】同浴用ボディタオルの第一の使用状態を示す図１中Ｂ方向矢視図、
【図４】同浴用ボディタオルの第二の使用状態を示す図１中Ｂ方向矢視図、
【図５】同浴用ボディタオルの一部を示す作用説明用正面図、
【図６】本発明の変更実施形態に係る浴用ボディタオルの一部を示す正面図、
【図７】同変更実施形態に係る他の浴用ボディタオルの一部を示す平面図、
【図８】同変更実施形態に係る他の浴用ボディタオルの一部を示す正面図、
【発明を実施するための形態】
【００１８】
次に、本発明に係る好適実施形態を挙げ、図面に基づき詳細に説明する。
【００１９】
まず、本実施形態に係る浴用ボディタオル１の構成について、図１及び図２を参照して説明する。
【００２０】
浴用ボディタオル１は、図１に示すように、第一の繊維状素材Ｒ１を編んで形成したボディタオル本体部２を備える。この場合、第一の繊維状素材Ｒ１には、天然繊維や合成樹脂繊維等の各種繊維状の素材が含まれる。ボディタオル本体部２は、一般的なボディタオルやフェイスタオル等と同様に全体の形状を長方形状に形成するとともに、その性質は一般的なボディタオルと同様に形成できる。しかし、本実施形態に係る浴用ボディタオル１は、後述する補助タオル片部３…を備えるため、ボディタオル本体部２は、第一の繊維状素材Ｒ１の種類（素材や太さ等）或いは第一の繊維状素材Ｒ１の編み方（編み方式やメッシュの大きさ等）を選定し、一般的なボディタオルよりも更に肌触りを良くするなど、快適性を高めた形態とすることができる。
【００２１】
一方、第二の繊維状素材Ｒ２を編んで形成した複数の補助タオル片部３…を用意する。この場合、第二の繊維状素材Ｒ２には、第一の繊維状素材Ｒ１と同様に天然繊維や合成樹脂繊維等の各種繊維状の素材が含まれるが、補助タオル片部３…は、主に汚れを落とす目的で用いるため、第二の繊維状素材Ｒ２の種類（素材や太さ等）或いは第二の繊維状素材Ｒ２の編み方（編み方式やメッシュの大きさ等）を選定し、より汚れを落とす（垢擦り）効果が高められるように、垢擦りタオルに類する形態とすることができる。
【００２２】
このように、第一繊維状素材Ｒ１と第二繊維状素材Ｒ２の種類を異ならせるとともに、ボディタオル本体部２と補助タオル片部３の編み方を異ならせれば、汚れを落とす能力や使い心地等観点から補助タオル片部３の最適化を図ることができ、しかも、浴用ボディタオル１の多様化を図ることができる。
【００２３】
また、例示の場合、一つの補助タオル片部３は、二枚のタオル片３ｐ，３ｐを重ね合わせて構成する。各タオル片３ｐ，３ｐは同じものを用いることができる。一枚のタオル片３ｐは、短冊状に形成し、長手方向の長さは、ボディタオル本体部２の幅方向（短手方向）の長さと同程度に形成するとともに、長手方向において二分割にして用いる。分割することにより二枚の分割タオル片部３ｓ，３ｓとなる。
【００２４】
他方、浴用ボディタオル１を製作する際には、一枚のボディタオル本体部２と１２枚の分割タオル片部３ｓ…を用意する。そして、二枚の分割タオル片部３ｓ…を重ねたものを補助タオル片半部３ｕとして、ボディタオル本体部２の一方の面２ｆの中間位置Ｘｍにおける六個所にそれぞれ縫い付ける。この場合、図１に示すように、ボディタオル本体部２の長手方向中央に、二つの補助タオル片半部３ｕ，３ｕを縫い付ける。この際、各補助タオル片半部３ｕ，３ｕの長手方向をボディタオル本体部２の幅方向に沿わせ、かつ分割部分を隙間Ｄを空けて同一線上に並べ、各補助タオル片半部３ｓ，３ｓの幅方向中央位置を糸材等によりボディタオル本体部２に縫い付ける。図２中、１１は縫付部を示す。このように、補助タオル片部３…に、重ね合わせた二枚（一般的には複数枚）のタオル片３ｐ…を用いれば、汚れを落とす能力や使い心地等観点から補助タオル片部３…の最適化を図ることができる。
【００２５】
同様に、他の二つの補助タオル片半部３ｕ，３ｕを、ボディタオル本体部２の長手方向中央に縫い付けた補助タオル片半部３ｕ，３ｕに対して、ボディタオル本体部２の長手方向の一方側に所定間隔を空けて配し、糸材等により同様に縫い付けるとともに、さらに、他の二つの補助タオル片半部３ｕ，３ｕを、ボディタオル本体部２の長手方向中央に縫い付けた補助タオル片半部３ｕ，３ｕに対して、ボディタオル本体部２の長手方向の他方側に所定間隔を空けて配し、糸材等により同様に縫い付ける。このように、浴用ボディタオル１は、比較的容易に製作することができる。
【００２６】
次に、本実施形態に係る浴用ボディタオル１の使用方法について、図３〜図５を参照して説明する。
【００２７】
図３は、ボディタオル本体部２の幅方向中央位置を長手方向に沿った折目Ｋにより折り畳むとともに、特に、補助タオル片部３…を、折り畳んだボディタオル本体部２の両側に露出されるようにした使用態様を示す。これにより、補助タオル片部３…を利用した、いわば垢擦りタオルとしての使用が可能になる。一方、図４は、ボディタオル本体部２の幅方向中央位置を長手方向に沿った折目Ｋにより折り畳むとともに、特に、補助タオル片部３…を、折り畳んだボディタオル本体部２の内側に隠れるようにした使用態様を示す。これにより、補助タオル片部３…を利用しない、いわばボディタオル本体部２のみを利用した一般的なボディタオルとしての使用が可能になる。
【００２８】
このように、本実施形態に係る浴用ボディタオル１は、第二の繊維状素材Ｒ２を編んで短冊形状に形成した補助タオル片部３…の幅方向中央位置を、ボディタオル本体部２の片面２ｆの中間位置Ｘｍに縫い付けてなるため、使用時には補助タオル片部３の一部が折り返されることにより凸状となるが、非使用時には平坦に重ねることができるため、凹凸によりかさ張る不具合を回避でき、優れた保管性や携帯性を確保できる。しかも、補助タオル片部…３は、長手方向の中央位置を分割したため、補助タオル片部３を使用する態様と使用しない態様に容易に変更できるため、例示のように、二つの用途に使い分けが可能となり、使い勝手（利便性）をより高めることができる。
【００２９】
一方、図３及び図４のいずれの場合も、基本的には、一般的なボディタオルと同様に石鹸を付けて使用することができる。図５は、図３に示した浴用ボディタオル１の使用時の作用を示している。図５において、Ｈは、人体の背中等の皮膚面を示す。浴用ボディタオル１は、皮膚面Ｈに当て、矢印Ｆｗ方向へ移動させることにより皮膚面Ｈを擦れば、補助タオル片部…３は、縫付部１１に対して一方側が当該縫付部１１から折り返して重なった状態となるため、補助タオル片部３…の垢擦り作用により効果的に汚れを落とすことができる。
【００３０】
よって、このような本実施形態に係る浴用ボディタオル１によれば、ボディタオル本体部２の一方の面２ｆの中間位置Ｘｍに、第二の繊維状素材Ｒ２を編んで短冊形状に形成するとともに、長手方向をボディタオル本体部２の幅方向に沿わせ、かつボディタオル本体部２の長手方向に所定間隔を空けて配した複数の補助タオル片部３…の幅方向中央位置を縫い付けたため、補助タオル片部３…を、例えば、垢擦りに適した構成とすることにより、浴用ボディタオル１における汚れを落とす（垢擦り）能力をより高めることができる。
【００３１】
次に、本発明の変更実施形態に係る係る浴用ボディタオル１について、図６〜図８を参照して説明する。
【００３２】
図６（ａ）は、補助タオル片部３の形態の変更、即ち、ボディタオル本体部２に対する補助タオル片部３の縫い付け方法を変更した例を示す。この場合、図１に示した補助タオル片部３に対して幅方向の寸法を約２倍に広げた大きさの補助タオルシート３ｏを用意し、両端をオーバラップさせるとともに、図６（ａ）に示すように、補助タオルシート３ｏの中央位置と当該両端位置を縫付部１１によりボディタオル本体部２の片面２ｆに縫い付けたものである。これにより、縫付部１１から両側に二つのリングが延出する補助タオル片部３を構成することができる。即ち、二枚分のタオル片３ｐ…が延出し、先端部３ｋが繋がって連続した状態となる。これにより、例えば、比較的固めの第二の繊維状素材Ｒ２を編んで補助タオル片部３を形成したような場合には、補助タオル片部３のエッジが皮膚面Ｈに直接当たらないため、補助タオル片部３が皮膚面Ｈに当たる際の刺激を緩和させることができる。
【００３３】
図６（ｂ）は、図６（ａ）の変更例であり、図６（ａ）に示した補助タオル片部３の上に、この補助タオル片部３よりも幅方向の寸法を短くした一枚のタオル片３ｐを追加して重ねたものである。図６（ｂ）のように構成すれば、汚れを落とす能力や使い心地等の観点から補助タオル片部３の更なる最適化を図ることができる。その他の構成は、図１及び図２に示した浴用ボディタオル１と同様に構成することができる。このため、図６（ａ），（ｂ）において、図１及び図２と同一部分には同一符号を付してその構成を明確にするとともに、その詳細な説明は省略する。
【００３４】
図７は、補助タオル片部３…の全体の形態を変更した例を示す。この場合、二種類の異なる補助タオル片部３…を使用し、それぞれ二組ずつ用いたものである。即ち、ボディタオル本体部２の中央付近に二組の補助タオル片部３ｘ，３ｘを配するとともに、この二組の補助タオル片部３ｘ，３ｘの両側にそれぞれ一組の補助タオル片部３ｙ，３ｙを配したものである。例示の補助タオル片部３ｘ…は、比較的固めの第二の繊維状素材Ｒ２を使用し、二枚のタオル片３ｐ…を重ねたものであり、また、例示の補助タオル片部３ｙ…は、比較的軟らかめの第二の繊維状素材Ｒ２を使用し、三枚のタオル片３ｐ…を重ねたものである（図８参照）。その他の構成は、図１に示した浴用ボディタオル１と同様に構成することができる。このため、図７において、図１と同一部分には同一符号を付してその構成を明確にするとともに、その詳細な説明は省略する。このように、浴用ボディタオル１は多様化させた様々な形態により実施することができる。
【００３５】
図８は、ボディタオル本体部２の一方の面２ｆ及び他方の面２ｓにおける中間位置にそれぞれ補助タオル片部３，３を縫い付けるとともに、一方の面２ｆの補助タオル片部３と他方の面２ｓの補助タオル片部３における第二繊維状素材Ｒ２の種類及び／又は編み方を異ならせた例を示し、一方の面２ｆに、図７に示した補助タオル片部３ｘ…を二組配し、他方の面２ｓに、図７に示した補助タオル片部３ｙ…を二組配したものである。その他の構成は、図１に示した浴用ボディタオル１と同様に構成することができる。このため、図８において、図１と同一部分には同一符号を付してその構成を明確にするとともに、その詳細な説明は省略する。このように構成すれば、補助タオル片部３を利用する観点から二種類の異なる浴用ボディタオル１…として機能させることができる利点がある。
【００３６】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００３７】
例えば、補助タオル片部３は、長手方向の中央位置を分割する場合を示したが、分割しない場合であってもよい。また、補助タオル片部３は、重ね合わせた二枚又は三枚のタオル片３ｐ…を用いた場合を示したが、一枚のタオル片３ｐ又は重ね合わせた四枚以上のタオル片３ｐ…を用いる場合も含まれる。さらに、第一繊維状素材Ｒ１と第二繊維状素材Ｒ２の種類を同一にする場合を排除しないとともに、ボディタオル本体部２と補助タオル片部３の編み方を同一にする場合を排除しない。
【産業上の利用可能性】
【００３８】
本発明に係る浴用ボディタオルは、基本的にはお風呂に入る際に使用するが、用途は任意である。したがって、人体のみならず、動物の汚れ落としや食器等を洗浄する際のタワシ等としても利用できる。
【符号の説明】
【００３９】
１：浴用ボディタオル，２：ボディタオル本体部，２ｆ：ボディタオル本体部の一方の面，２ｓ：ボディタオル本体部の他方の面，３…：補助タオル片部，３ｐ…：タオル片，Ｒ１：第一の繊維状素材，Ｘｍ：ボディタオル本体部の中間位置
【図１】
2011142933.tif 000003
【図２】
2011142933.tif 000004
【図３】
2011142933.tif 000005
【図４】
2011142933.tif 000006
【図５】
2011142933.tif 000007
【図６】
2011142933.tif 000008
【図７】
2011142933.tif 000009
【図８】
2011142933.tif 000010